(57)【特許請求の範囲】
【請求項１】
上方が開口した箱型の本体の対向する開口縁に各々蓋半体を回動自在に枢支連結し、一方の蓋半体の先端縁の一部から重ね片を突出するとともに残りの部分に重ね受け部を形成し、他方の蓋半体の一部に重ね受け部を形成するとともに残りの部分の先端縁から突出させて重ね片を形成し、重ね片の裏面に係合突条を突出するとともに重ね受け部に係合凹溝を形成し、係合突条を係合凹溝に係合して重ね片を重ね受け部に重ねる容器の蓋の構造であって、重ね片の裏面側において、重ね片の先端縁と係合突条の先端部とを連ねる傾斜ガイドを設けて成ることを特徴とする容器の蓋の構造。
【請求項２】
傾斜ガイドがリブ状に形成され、重ね受け部に傾斜ガイドを挿入する凹溝を形成して成ることを特徴とする請求項１記載の容器の蓋の構造。
【発明の詳細な説明】
【０００１】
【発明の属する技術分野】
本発明は、容器の蓋の構造に関し、詳しくは、対向する蓋半体の一部を重ねて良好な閉成をおこないながら、閉じ操作を円滑におこなえるようにしようとする技術に係るものである。
【０００２】
【従来の技術】
従来、図６に示すように、上方が開口した箱型の本体１の対向する開口縁に各々蓋半体２ａ，２ｂを回動自在に枢支連結するとともに、一方の蓋半体２ａの先端縁の一部から重ね片３を突出し、他方の蓋半体２ｂに重ね片３を受ける重ね受け部４を形成し、重ね片３の裏面に係合突条５を、重ね受け部４に係合凹溝６を形成し、係合突条５を係合凹溝６に係合して一方の蓋半体２ａの重ね片３を他方の蓋半体２ｂの重ね受け部４に重ねる容器の蓋の構造においては、一方の蓋半体２ａの重ね片３の係合突条５を他方の蓋半体２ｂの係合凹溝６に係合することで、蓋の閉じ状態を良好に保つことができるものである。
【０００３】
【発明が解決しようとする課題】
ところで、このような構成において、係合突条５は一方の蓋半体２ａの一部において突出する重ね片３の先端部の裏面に形成されることから、両方の蓋半体２ａ，２ｂを略合掌姿勢に合わせた後、両方の蓋半体２ａ，２ｂが平坦となる閉成姿勢へと移行しようとする際に、図６に示すように、係合突条５が対向する他方の蓋半体２ｂの先端縁Ｅに衝突することになって、両蓋半体２ａ，２ｂを円滑に閉じることができなくなるという問題があった。
【０００４】
このような問題が、合成樹脂容器を自動洗浄する洗浄ラインにおいて発生した場合には、洗浄ラインを停止するなどして両蓋半体２ａ，２ｂ同士の「からみ」を解消しなければならないのであり、合成樹脂容器の洗浄ラインの自動化が困難になるものである。尚、蓋半体２ａ，２ｂを本体１の開口縁において、閉じ方向に位置を異ならせた２軸構成で枢支連結する構成においては、一層、係合突条５が対向する他方の蓋半体２ｂの先端縁Ｅに衝突しやすくなるものである。
【０００５】
本発明はこのような問題に鑑みてなされたものであり、対向する蓋半体の一部を重ねて良好な閉成をおこないながら、閉じ操作を円滑におこなうことができ、ひいては、容器の自動洗浄ラインを簡素化することができる容器の蓋の構造を提供することを課題とするものである。
【０００６】
【課題を解決するための手段】
請求項１においては、上方が開口した箱型の本体１の対向する開口縁に各々蓋半体２ａ，２ｂを回動自在に枢支連結し、一方の蓋半体２ａの先端縁の一部から重ね片３を突出するとともに残りの部分に重ね受け部４を形成し、他方の蓋半体２ｂの一部に重ね受け部４を形成するとともに残りの部分の先端縁から突出させて重ね片３を形成し、重ね片３の裏面に係合突条５を突出するとともに重ね受け部４に係合凹溝６を形成し、係合突条５を係合凹溝６に係合して重ね片３を重ね受け部４に重ねる容器の蓋の構造であって、重ね片３の裏面側において、重ね片３の先端縁と係合突条５の先端部とを連ねる傾斜ガイド７を設けてあることを特徴とするものである。
【０００７】
このような構成によれば、傾斜ガイド７によって、係合突条５が対向する蓋半体２ａの先端縁Ｅに突っかかることがなく、重ね片３を重ね受け部４に円滑に重ねることができ、容易に蓋半体２ａ，２ｂを重ねて蓋をできることから、洗浄を自動的におこなう洗浄ライン化が可能になる。
【０００８】
請求項２においては、傾斜ガイド７がリブ状に形成され、重ね受け部４に傾斜ガイド７を挿入する凹溝８を形成してあることを特徴とするものである。このような構成によれば、リブ状の傾斜ガイド７によって係合突条５の強度を高めることができ、かつ、リブ状の傾斜ガイド７が重ね受け部４の凹溝８に挿入されることから、両蓋半体２ａ，２ｂの閉じ強度を、一層、高めるのである。
【０００９】
【発明の実施の形態】
以下、本発明の実施の形態を説明する。図１（ａ）は一方の蓋半体の開き状態の斜視図、（ｂ）は部分拡大斜視図である。
【００１０】
本実施の形態における折りたたみ容器Ａは、矩形状の底板１０と、底板１０の上方に配置した矩形枠状の上枠１１と、底板１０と上枠１１との間の両側に配置した側面板１２と、底板１０と上枠１１との間の両端に配置した端面板１３とを具備しており、端面板１３の上端を上枠１１に回転自在に連結して端面板１３を起倒自在とし、側面板１２を上半分の上側面板１４と下半分の下側面板１５とで構成して上側面板１４の上端を上枠１１に回転自在に連結すると共に下側面板１５の下端を底板１０に回転自在に連結し、上側面板１４の下端と下側面板１５の上端を連結部１６を介して連結されて本体１が構成される。
【００１１】
本体１において、上枠１１の対向する長辺部にヒンジ部９を介して一対の蓋半体２ａ，２ｂが回動自在に枢支連結されている。このようなヒンジ部９の構成は、一軸構成であっても、蓋半体２ａ，２ｂの閉じ方向において位置を異ならせる２軸構成（特開平１１−３５０３４号参照）のものであってもよいものである。
【００１２】
図１乃至図４に示すように、一方の蓋半体２ａの先端縁の一部、実施の形態においては、約1/2の領域において重ね片３を突出している。重ね片３の裏面には略直線状のリブ状の係合突条５を形成している。又、一方の蓋半体２ａの重ね片３に隣接する部分には重ね受け部４が形成され、重ね受け部４には係合凹溝６が形成されている。他方の蓋半体２ｂには約1/2の領域において、一方の蓋半体２ａの重ね片３を受ける重ね受け部４を形成している。重ね受け部４には係合凹溝６を形成している。他方の蓋半体２ｂの重ね受け部４に隣接する部分には重ね片３が形成されている。この重ね片３の裏面には係合突条５が形成されている。このような、蓋半体２ａ，２ｂは同一金型で製作されたものであり、同一のものを１８０度回転させて対向させるものである。
【００１３】
しかして、一方の蓋半体２ａの重ね部３を他方の蓋半体２ｂの重ね受け部４に重ねるとともに、係合突条５を係合凹溝６に係合するのであり、又、他方の蓋半体２ｂの重ね部３を一方の蓋半体２ａの重ね受け部４に重ねるとともに、係合突条５を係合凹溝６に係合するのである。
【００１４】
以上の構成において、本発明においては、重ね片３の先端縁と係合突条５の先端部とを連ねる傾斜ガイド７を設けてあり、傾斜ガイド７がリブ状に形成している。
【００１５】
このような構成によれば、傾斜ガイド７によって、係合突条５が他方の蓋半体２ａの先端縁Ｅに突っかかることがなく、重ね片３を重ね受け部４に円滑に重ねることができるのであり、係合突条５が他方の蓋半体２ａの先端縁Ｅが突っかかることがなくなることから、一方の蓋半体２ａと他方の蓋半体２ｂとを略合掌状態にした後、重ね片３を重ね受け部４に円滑に重ねることができるのであり、洗浄を自動的におこなう洗浄ライン化が可能になるものである。
【００１６】
更に、重ね受け部４に傾斜ガイド７を挿入する凹溝８を形成してあって、リブ状の傾斜ガイド７によって係合突条５の強度を高めることができ、リブ状の傾斜ガイド７が重ね受け部４の凹溝８に挿入されることから、両蓋半体２ａ，２ｂの閉じ強度を、一層、高めることができるものである。
【００１７】
【発明の効果】
請求項１においては、上方が開口した箱型の本体の対向する開口縁に各々蓋半体を回動自在に枢支連結し、一方の蓋半体の先端縁の一部から重ね片を突出するとともに残りの部分に重ね受け部を形成し、他方の蓋半体の一部に重ね受け部を形成するとともに残りの部分の先端縁から突出させて重ね片を形成し、重ね片の裏面に係合突条を突出するとともに重ね受け部に係合凹溝を形成し、係合突条を係合凹溝に係合して重ね片を重ね受け部に重ねる容器の蓋の構造であって、重ね片の裏面側において、重ね片の先端縁と係合突条の先端部とを連ねる傾斜ガイドを設けてあるから、傾斜ガイドによって、係合突条が対向する蓋半体の先端縁に突っかかることがなく、重ね片を重ね受け部に円滑に重ねることができ、容易に蓋半体を重ねて蓋をできることから、洗浄を自動的におこなう洗浄ライン化が可能になるという利点がある。
【００１８】
請求項２においては、傾斜ガイドがリブ状に形成され、重ね受け部に傾斜ガイドを挿入する凹溝を形成してあるから、請求項１の効果に加えて、リブ状の傾斜ガイドによって係合突条の強度を高めることができ、リブ状の傾斜ガイドが重ね受け部の凹溝に挿入されることから、両蓋半体の閉じ強度を、一層、高めることができるという利点がある。
【図面の簡単な説明】
【図１】本発明の実施の一形態を示し、（ａ）は一方の蓋半体の開き状態の斜視図、（ｂ）は部分拡大斜視図である。
【図２】同上の合成樹脂製の容器を組上げるとともに蓋を閉じた状態の斜視図である。
【図３】同上の折りたたみ状態の斜視図である。
【図４】（ａ）は一方の蓋半体の平面図、（ｂ）は底面図である。
【図５】（ａ）は図４（ａ）のＡ−Ａ線断面図、（ｂ）は図４（ａ）のＢ−Ｂ線断面図である。
【図６】従来例を示す説明図である。
【符号の説明】
１    本体
２ａ  一方の蓋半体
２ｂ  他方の蓋半体
３    重ね片
４    重ね受け部
５    係合突条
６    係合凹溝
７    傾斜ガイド
８    凹溝
【図１】
0004303371.tif 000002
【図２】
0004303371.tif 000003
【図３】
0004303371.tif 000004
【図４】
0004303371.tif 000005
【図５】
0004303371.tif 000006
【図６】
0004303371.tif 000007